(57)【特許請求の範囲】
【請求項１】
複数のレンズから構成されたファインダ光学系のうち変倍用の第１レンズ及び第２レンズを移動させることによりファインダ倍率を変更するズームファインダにおいて、
撮影系の変倍に連動し、ファインダ光軸に沿って移動される移動部材と、この移動部材に回動自在に取り付けられた第１レバーと、この第１レバーに係合し、前記移動部材の移動に応じて第１レバーを回動する第１カムと、前記第１レバーに形成された溝に係合するとともにファインダ光軸に沿って移動自在に設けられ、第１レンズを支持する第１支持部と、一端部側が前記移動部材に係合し、前記移動部材の移動に伴って他端部側を中心に回動される第２レバーと、この第２レバーに形成されたカム溝に係合するとともにファインダ光軸に沿って移動自在に設けられ、第２レンズを支持する第２支持部とを備え、前記移動部材に連動して第１レバーがファインダ光軸に沿って移動しながら回動することにより第１レンズが移動し、これと同時に第２レバーが回動することにより第２レンズが移動することを特徴とするズームファインダ。
【請求項２】
カメラ本体の内側に沈み込んだ沈胴位置とカメラ本体の前面から突出して撮影光軸に沿って進退することにより撮影系の変倍を行う変倍域とを有する変倍鏡胴を備えたカメラに設けられ、複数のレンズから構成されたファインダ光学系のうち変倍用の第１レンズ及び第２レンズを、前記変倍鏡胴の変倍域での進退動作に連動して移動させることによりファインダ倍率を変更するズームファインダにおいて、
前記変倍鏡胴との間に設けられた連動手段を介して変倍鏡胴の変倍域での進退動作に連動し、ファインダ光軸に沿って設けられたガイド手段に案内されてファインダ光軸に沿って移動される移動部材と、この移動部材に回動自在に取り付けられた第１レバーと、この第１レバーに係合し、前記移動部材の移動に応じて第１レバーを回動する第１カムと、前記第１レバーに形成された溝に係合するとともにファインダ光軸に沿って移動自在に設けられ、第１レンズを支持する第１支持部と、一端部側が前記移動部材に係合し、前記移動部材の移動に伴って他端部側を中心に回動される第２レバーと、この第２レバーに形成されたカム溝に係合するとともにファインダ光軸に沿って移動自在に設けられ、第２レンズを支持する第２支持部とを備え、前記移動部材に連動して第１レバーがファインダ光軸に沿って移動しながら回動することにより第１レンズが移動し、これと同時に第２レバーが回動することにより第２レンズが移動するとともに、前記連動手段は、前記変倍鏡胴が変倍域から沈胴位置に移行する領域では、前記変倍鏡胴と移動部材との連動を解除することを特徴とするズームファインダ。
【請求項３】
前記ガイド手段は、前記変倍鏡胴の変倍域での進退動作が行われる範囲のみに対応した長さのガイド溝であることを特徴とする請求項２記載のズームファインダ。
【請求項４】
前記連動手段は弾性部材を有し、前記変倍鏡胴が変倍域から沈胴位置に移動する領域では、前記弾性部材によって変倍鏡胴の移動が吸収されることを特徴とする請求項３記載のズームファインダ。
【発明の詳細な説明】
【０００１】
【発明の属する技術分野】
本発明は、撮影系の変倍動作に連動してファインダ倍率を変更するズームファインダに関するものである。
【０００２】
【従来の技術】
ズームレンズの変倍動作に連動してファインダ光学系のファインダ倍率を変更するズームファインダが、特開昭６２−２６４０３４号公報や特開平７−１５９８２６号公報等に開示されている。特開昭６２−２６４０３４号公報記載の発明は、ズームレンズを構成する回転筒の回転駆動をギヤ列を用いて取り出し、この回転駆動をラックギヤに伝達して撮影光軸に対して直行する方向に沿った直線駆動に変換し、この直線駆動を利用してカム板をフイルム給送方向に直線的に移動させることで、ファインダ光学系を構成する移動レンズをファインダ光軸に沿って移動するようにしている。
【０００３】
また、特開平７−１５９８２６号公報記載のズームファインダでは、回転筒の回転駆動をギヤ列を用いて取り出し、この回転駆動でカム板を水平面内で回転させることで、移動レンズをファインダ光軸に沿って移動するようにしている。
【０００４】
【発明が解決しようとする課題】
しかしながら、前記各発明は、いずれも回転筒の回転駆動をギヤ列を用いて取り出しているため、ギヤ列のためのスペースが多く必要となる。また、特開昭６２−２６４０３４号公報の装置は、カム板をフイルム給送方向に沿って移動させるため、この移動スペースによりカメラが大型化する。また、カム板はレンズの必要なストロークとは別方向に移動されるため、力のロスが多く、変倍用駆動モータに大型のものが必要であったり、電源電池の消耗が著しい等の欠点がある。
【０００５】
本発明は、省スペースでカメラの小型化に寄与するとともに変倍に要する負荷が小さいズームファインダを提供することを目的とする。
【０００６】
【課題を解決するための手段】
上記目的を達成するために、本発明のズームファインダは、複数のレンズから構成されたファインダ光学系のうち変倍用の第１レンズ及び第２レンズを移動させることによりファインダ倍率を変更するズームファインダにおいて、撮影系の変倍に連動し、ファインダ光軸に沿って移動される移動部材と、この移動部材に回動自在に取り付けられた第１レバーと、この第１レバーに係合し、前記移動部材の移動に応じて第１レバーを回動する第１カムと、前記第１レバーに形成された溝に係合するとともにファインダ光軸に沿って移動自在に設けられ、第１レンズを支持する第１支持部と、一端部側が前記移動部材に係合し、前記移動部材の移動に伴って他端部側を中心に回動される第２レバーと、この第２レバーに形成されたカム溝に係合するとともにファインダ光軸に沿って移動自在に設けられ、第２レンズを支持する第２支持部とを備え、前記移動部材に連動して第１レバーがファインダ光軸に沿って移動しながら回動することにより第１レンズが移動し、これと同時に第２レバーが回動することにより第２レンズが移動するようにしたものである。
【０００７】
また、カメラ本体の内側に沈み込んだ沈胴位置とカメラ本体の前面から突出して撮影光軸に沿って進退することにより撮影系の変倍を行う変倍域とを有する変倍鏡胴を備えたカメラに設けられ、複数のレンズから構成されたファインダ光学系のうち変倍用の第１レンズ及び第２レンズを、前記変倍鏡胴の変倍域での進退動作に連動して移動させることによりファインダ倍率を変更するズームファインダにおいて、前記変倍鏡胴との間に設けられた連動手段を介して変倍鏡胴の変倍域での進退動作に連動し、ファインダ光軸に沿って設けられたガイド手段に案内されてファインダ光軸に沿って移動される移動部材と、この移動部材に回動自在に取り付けられた第１レバーと、この第１レバーに係合し、前記移動部材の移動に応じて第１レバーを回動する第１カムと、前記第１レバーに形成された溝に係合するとともにファインダ光軸に沿って移動自在に設けられ、第１レンズを支持する第１支持部と、一端部側が前記移動部材に係合し、前記移動部材の移動に伴って他端部側を中心に回動される第２レバーと、この第２レバーに形成されたカム溝に係合するとともにファインダ光軸に沿って移動自在に設けられ、第２レンズを支持する第２支持部とを備え、前記移動部材に連動して第１レバーがファインダ光軸に沿って移動しながら回動することにより第１レンズが移動し、これと同時に第２レバーが回動することにより第２レンズが移動するとともに、前記連動手段は、前記変倍鏡胴が変倍域から沈胴位置に移行する領域では、前記変倍鏡胴と移動部材との連動を解除するものである。
【０００８】
また、前記ガイド手段を変倍鏡胴の変倍域での進退動作が行われる範囲のみに対応した長さのガイド溝としたものである。また、前記連動手段は弾性部材を有し、前記変倍鏡胴が変倍域から沈胴位置に移動する領域では、前記弾性部材によって変倍鏡胴の移動が吸収されるようにしたものである。
【０００９】
【発明の実施の形態】
本発明のズームファインダの要部を示す図１において、ズームファインダ１の下方には、撮影系であるズームレンズが配置され、この鏡胴本体内を撮影光軸Ｌｓに沿って移動することによりズームレンズの変倍を行うとともに、連動手段２を介してズームファインダ１の変倍を行う変倍鏡胴１０が設けられている。また、この変倍鏡胴１０は、カメラの電源スイッチがオンされると、ズームレンズの鏡胴本体ごとカメラ本体の前面から前方に突出し、電源スイッチがオフにされると、カメラ本体内に沈胴される。
【００１０】
変倍鏡胴１０の上部には、図示しないガイド軸に挿通される一対の貫通孔１１ａ，１１ｂを有する突出部１１が一体的に形成され、この突出部１１に隣接して、弾性部材であるトーションバー１４が設けられている。このトーションバー１４は、一端部が変倍鏡胴１０の上部に固定され、他端部がＬ字型に屈曲されている。
【００１１】
トーションバー１４は、変倍鏡胴１０がズームレンズの変倍域にある際には、鏡胴側スライダ１５の中間部に突出形成されたコの字状アーム１５ａの端部を突出部１１の凹部１２との間に挟み込んでおり、変倍鏡胴１０が変倍域のワイド端から更にカメラ本体側に引っ込む沈胴位置に移動する際には、矢印α方向に弾性変形して変倍鏡胴１０が沈胴位置に移動するのを許容する。
【００１２】
なお、トーションバー１４は、弾性変形中であっても先端部１４ａがコの字状アーム１５ａの端部に係合しており、変倍鏡胴１０が沈胴位置から変倍域に復帰した際に突出部１１の凹部１２との間にコの字状アーム１５ａの端部を挟持する。
【００１３】
前記鏡胴側スライダ１５は、この下部に形成された一対の突起１５ｂが撮影光軸Ｌｓに沿って細長く形成された鏡胴側ガイド溝１８に遊貫されている。この鏡胴側ガイド溝１８は、ズームファインダ１が変倍される範囲のみに対応した長さに形成されており、鏡胴側スライダ１５の移動を規制している。
【００１４】
鏡胴側スライダ１５の中央部には、ファインダ光学系の変倍を行うファインダ側スライダ２２のピン２２ａが係合する開口１５ｃが形成されている。この開口１５ｃは、撮影光軸Ｌｓ方向にやや長い長方形状をしており、ズームレンズのフォーカス時にわずかに移動される変倍鏡胴１０によってズームファインダ１が変倍されないようにしてある。
【００１５】
鏡胴側スライダ１５の上方には、ファインダ駆動部押さえ板２１が配置されており、これに長孔であるファインダ側ガイド溝２１ａが形成されている。ファインダ駆動部押さえ板２１の上方には、ファインダ側スライダ２２が設けられ、この下部に形成されたピン２２ａがファインダ側ガイド溝２１ａに挿通され、下方の鏡胴側スライダ１５の開口１５ｃに係合している。このように、突出部１１，トーションバー１４及び鏡胴側スライダ１５が、ズームファインダ１の移動部材であるファインダ側スライダ２２と変倍鏡胴１０とを連動させる連動手段２を構成している。
【００１６】
ファインダ側スライダ２２の上部には、３本のピン２２ｂ〜２２ｄが植設されている。このうち、撮影光軸Ｌｓに沿って設けられた２本のピン２２ｂ，２２ｃは、ファインダ側スライダ２２の上方に固定配置されたファインダカム２５のファインダ側ガイド溝２５ａに挿通される。これにより、ファインダ側スライダ２２はファインダ側ガイド溝２５ａに沿って移動自在となっている。
【００１７】
ピン２２ｄは、ファインダ側スライダ２２の上方に設けられたほぼＬ字型をした前群レンズ移動用レバー２６の孔２６ａに挿通され、パイプ２９により抜け止めされている。前群レンズ移動用レバー２６の上部には、ピン２６ｂが植設されており、これがファインダカム２５に形成されたストローク調整用カム溝２５ｂに挿通されている。また、前群レンズ移動用レバー２６には、長孔２６ｃが形成されており、この長孔２６ｃには、凹レンズである前群レンズ２７の支持部２８に形成されたピン２８ａが挿通されている。
【００１８】
ファインダカム２５と前群レンズ移動用レバー２６との間には、後群レンズ移動用レバー３１が配置されている。この後群レンズ移動用レバー３１は、一端部に形成された孔３１ａを介してファインダ枠の固定軸３２（図２（Ｂ）参照）に回動自在に取り付けられている。後群レンズ移動用レバー３１の他端部は、二股フォークの形状をしており、この中央の溝３１ｂの相対する両縁がパイプ２９の外周面に接している。これにより、ファインダ側スライダ２２の移動が後群レンズ移動用レバー３１の回動に確実に変換される。そして、後群レンズ移動用レバー３１の中央部には、凸レンズである後群レンズ３３の支持部３４に形成されたピン３４ａと係合されるストローク調整用カム溝３１ｃが形成されている。
【００１９】
前群レンズ２７の支持部２８と後群レンズ３３の支持部３４には、ファインダ光軸Ｌｆ方向に設けられたファインダガイド軸（図示せず）に挿通される孔２８ｂ，３４ｂが形成されている。また、支持部２８，３４の間にはバネ３６が掛け渡されており、前群レンズ２７，後群レンズ３３は互いに接近する方向に付勢される。これにより、前群レンズ２７，後群レンズ３３の各位置決め精度が向上する。
【００２０】
なお、ズームファインダ１には、図２に示すように、変倍レンズである前群レンズ２７及び後群レンズ３３の他に、前群レンズ２７の前方に凹レンズである対物レンズ３８が固定配置され、また後群レンズ３３の後方には左右反転プリズム３９，ターゲットレンズ４０，上下反転プリズム４１及び接眼レンズ４２が固定配置されている。
【００２１】
このように構成されたズームファインダ１の作用を説明する。前群レンズ２７の動きを示す図２（Ａ）において、ズームレンズがワイド端である時には、実線で示すように、ファインダ側スライダ２２は接眼レンズ４２寄りの最後方の位置にある。また、この時、前群レンズ移動用レバー２６のピン２６ｂはストローク調整用カム溝２５ｂの最後方の位置にある。
【００２２】
ズームレンズをワイド端からテレ端に向かって変倍するために変倍鏡胴１０が撮影光軸Ｌｓに沿ってカメラ本体から前方へ突出する方向に移動されると、鏡胴側スライダ１５が鏡胴側ガイド溝１８に沿って移動するから、ファインダ側スライダ２２が対物レンズ３８側に移動する。これにより、前群レンズ移動用レバー２６は、対物レンズ３８側に移動しながら、二点鎖線で示すように、ピン２２ｄを中心にしてストローク調整用カム溝２５ｂに沿って回動する。この回動量に応じて前群レンズ２７のファインダ光軸Ｌｆ方向への移動量が減少し、前群レンズ２７のストロークがズームレンズの変倍に対応して調整される。
【００２３】
一方、後群レンズ３３の動きを示す図２（Ｂ）において、ファインダ側スライダ２２は接眼レンズ４２寄りの最後方の位置にある状態では、実線で示すように、後群レンズ移動用レバー３１は、溝３１ｂが形成された側が左右反転プリズム３９に最も近い回動位置にある。ズームレンズがワイド端からテレ端に向かって変倍されると、ファインダ側スライダ２２が対物レンズ３８側に移動し、後群レンズ移動用レバー３１は固定軸３２を中心にして反時計方向に回動される。これにより、ピン３４ａが対物レンズ３８側に移動されるが、この際にストローク調整用カム溝３１ｃの形状に従ってピン３４ａの移動量が調整され、後群レンズ３３のストロークが調整される。なお、ズームレンズがテレ端からワイド端に向かって変倍される場合には、各部の動きは逆となる。
【００２４】
このように、変倍鏡胴１０の移動方向と同じ方向にファインダ側スライダ２２が移動されるとともに、前群レンズ移動用レバー２６の移動及び回動，後群レンズ移動用レバー３１の回動がファインダ側スライダ２２の移動方向と同じ方向に行われるため、変倍鏡胴１０を移動させるための力がロスすることなく前群レンズ２７及び後群レンズ３３の移動に用いられる。
【００２５】
ズームレンズのフォーカスは、変倍鏡胴１０のわずかな移動によって行われる。この時、変倍鏡胴１０の移動に伴って鏡胴側スライダ１５がわずかに移動するが、開口１５ｃの形状がファインダ側スライダ２２の移動方向に長くなっているので、鏡胴側スライダ１５のわずかな移動では、ファインダ側スライダ２２が移動することはなく、ズームファインダ１は変倍されない。
【００２６】
撮影を止め、カメラの電源スイッチをオフにすると、変倍鏡胴１０はワイド端からズームレンズの鏡胴本体とともに沈胴位置に移動する。この移動を開始する前のワイド端で、鏡胴側スライダ１５は、鏡胴側ガイド溝１８の長さがズームファインダ１の変倍域のみに対応したものとなっているから、鏡胴側ガイド溝１８の縁により移動が停止される。変倍鏡胴１０がワイド端から沈胴位置に向かって移動するにつれて、トーションバー１４はコの字状アーム１５ａの端部に押されて弾性変形し、変倍鏡胴１０の移動を許容する。
【００２７】
このようにズームレンズを沈胴させた状態では、トーションバー１４の付勢力によって鏡胴側スライダ１５が鏡胴側ガイド溝１８の縁に押しつけられ、ファインダ側スライダ２２がワイド端で固定されるから、前群レンズ２７，後群レンズ３３は不用意に動くことはない。また、このようにズームファインダ１の変倍が不要な沈胴位置までズームファインダ１が変倍鏡胴１０と連動しないようにしたから、それだけズームファインダ１の駆動スペースを削減できる。
【００２８】
また、ファインダ光学系の変倍に要する部品は、主としてファインダ側スライダ２２と小さな２個のレバー２６，３３とファインダカム２５のみで、取付スペースが少なくて済むとともに、ファインダ側スライダ２２とレバー２６，３３の移動領域もファインダ光軸Ｌｆに沿ったわずかなものであるため、カメラの小型化に大きく寄与できる。
【００２９】
なお、本発明のズームファインダは、コンパクトカメラに限らず、例えばインスタントカメラやデジタルカメラ，ビデオカメラ等にも利用できる。
【００３０】
【発明の効果】
以上のように、本発明のズームファインダによれば、撮影系の変倍に連動してファインダ光軸に沿って移動される移動部材により、第１レバーが移動及び回動して第１レンズをファインダ光軸方向に移動すると同時に第２レバーが回動して第２レンズをファインダ光軸方向に移動するようにしたので、ギア列やカム板を用いる従来のものと比べて部品の取付スペース及び移動スペースが少なくて済み、カメラの小型化に寄与できる。また、ズームファインダを変倍する力は、第１，第２レバーからほぼファインダ光軸に沿った方向に第１，第２レンズの各支持部に加えられるから、最小限の力量で済み、変倍用駆動モータに小型でローコストなものを用いたり、電源電池の交換頻度を少なくできる。また、余分な方向の力がファインダに加わらないので、ファインダを精度よく駆動できる。
【００３１】
また、撮影系が沈胴されるカメラに設けられたズームファインダでは、撮影系の沈胴時に鏡胴と移動部材との連動を解除するので、移動部材が動くスペースをより少なくすることができ、カメラの小型化に寄与できる。また、移動部材を案内するガイド手段を変倍鏡胴の変倍域での進退動作が行われる範囲のみに対応した長さのガイド溝としたので、ズームファインダの変倍が不要な沈胴位置までズームファインダが変倍鏡胴と連動せず、それだけズームファインダの駆動スペースを削減でき、カメラの小型化に寄与できる。また、変倍鏡胴と移動部材との間に設けられた連動手段は弾性部材を有し、変倍鏡胴が変倍域から沈胴位置に移動する領域では、弾性部材によって変倍鏡胴の移動が吸収されるようにしたので、ズームファインダの変倍が不要な沈胴位置までズームファインダが変倍鏡胴と連動しないようにでき、それだけ移動部材が動くスペースをより少なくすることができ、カメラの小型化に寄与できる。
【図面の簡単な説明】
【図１】本発明を実施したズームファインダの要部を示す分解斜視図である。
【図２】前群レンズの動き（Ａ）と後群レンズの動き（Ｂ）を示す説明図である。
【符号の説明】
１  ズームファインダ
２  連動手段
１０    変倍鏡胴
１５    鏡胴側スライダ
２２    ファインダ側スライダ
２５    ファインダカム
２６    前群レンズ移動用レバー
２７    前群レンズ
３１    後群レンズ移動用レバー
３３    後群レンズ
【図１】
0003606550.tif 000002
【図２】
0003606550.tif 000003